(57)【要約】【課題】高いセキュリティ性を確保することができるとともに、利便性を高くすることができる患者情報提供システム等を提供すること。【解決手段】本発明の一態様は、病院内の場所に関連付けられた複数のビーコンと、前記病院内の場所と患者情報とを対応付けて管理する情報管理装置と、前記複数のビーコンのうち一つのビーコンを特定し、当該特定したビーコンに関連付けられた場所に対応付けられた前記患者情報を、前記情報管理装置から取得して表示する情報表示装置と、を備える、患者情報提供システムである。【選択図】図１
2020109568.tif 000002
【特許請求の範囲】
【請求項１】
病院内の場所に関連付けられた複数のビーコンと、
前記病院内の場所と患者情報とを対応付けて管理する情報管理装置と、
前記複数のビーコンのうち一つのビーコンを特定し、当該特定したビーコンに関連付けられた場所に対応付けられた前記患者情報を、前記情報管理装置から取得して表示する情報表示装置と、
を備える患者情報提供システム。
【請求項２】
前記複数のビーコンのそれぞれは、病院内のベッド、ナースステーション、診察室、および、治療室のうちいずれか一つの場所に関連付けられる、
請求項１に記載の患者情報提供システム。
【請求項３】
前記情報管理装置は、前記病院内の場所および前記ビーコンを特定する情報に対応付けて前記患者情報を管理し、
前記情報表示装置は、当該情報表示装置を持つ者が前記ビーコンに関連付けられた場所を訪れた場合に、当該ビーコンを特定する情報を含む要求を前記情報管理装置に送信し、
前記情報管理装置は、前記要求を受信した場合に、当該要求に含まれるビーコンを特定する情報に基づいて、当該場所に対応付けられた患者情報を、前記情報表示装置に送信し、
前記情報表示装置は、前記患者情報を受信した場合に、当該患者情報に基づいて表示を行う、
請求項１または２に記載の患者情報提供システム。
【請求項４】
前記情報表示装置は、当該情報表示装置を持つ者が前記ビーコンに関連付けられた場所から退出した場合に、当該患者情報の表示を停止する、
請求項１から３のうちいずれか１項に記載の患者情報提供システム。
【請求項５】
前記情報表示装置は、当該情報表示装置を持つ者が前記ビーコンに関連付けられた場所から退出した場合において、当該情報表示装置を持つ者のタスクに対する結果の入力を受け付けていない場合、当該情報表示装置を持つ者のタスクに対する結果を入力することを促す画像を表示し、タスクに対する結果を入力する操作を受け付ける、
請求項４に記載の患者情報提供システム。
【請求項６】
前記情報管理装置は、前記病院内の場所に対応付けて当該場所において患者情報が表示可能な情報表示装置の数に関する情報を管理し、前記情報表示装置の数に関する情報に基づいて、前記病院内の場所ごとに、患者情報の送信先としての前記情報表示装置の数を制限する、
請求項１から５のうちいずれか１項に記載の患者情報提供システム。
【請求項７】
前記情報管理装置は、前記病院内の場所に対応付けて当該場所においてタスクを実行する者の権限情報を管理し、前記権限情報に基づいて、前記病院内の場所ごとに、患者情報の送信先としての前記情報表示装置を制限する、
請求項１から５のうちいずれか１項に記載の患者情報提供システム。
【請求項８】
前記情報管理装置は、前記病院内の場所に対応付けて患者のスケジュール情報を管理し、前記スケジュール情報に基づいて、第１の場所に患者がいる場合に、当該患者の患者情報を前記第１の場所にいる者が持つ前記情報表示装置に送信し、前記第１の場所とは異なる第２の場所にいる者が持つ前記情報表示装置には、前記第１の場所にいる患者の患者情報を送信しない、
請求項１から７のうちいずれか１項に記載の患者情報提供システム。
【請求項９】
前記情報管理装置は、前記病院内の場所に対応付けて当該場所において実行するタスクを示す情報を前記患者情報として管理し、前記タスクを示す情報に基づいて、第１の場所で実行するタスクを示す情報を前記第１の場所にいる者が持つ前記情報表示装置に送信し、前記第１の場所とは異なる第２の場所で実行するタスクを示す情報を前記第１の場所にいる者が持つ前記情報表示装置に送信しない、
請求項１から８のうちいずれか１項に記載の患者情報提供システム。
【請求項１０】
前記情報管理装置は、前記情報表示装置が通信中の前記ビーコンの場所に基づいて、当該情報表示装置を持つ者のタスクを推定し、推定結果に基づいて当該情報表示装置を持つ者に対する連絡の可否情報を、当該情報表示装置を持つ者以外の者に提供する、
請求項１から９のうちいずれか１項に記載の患者情報提供システム。
【請求項１１】
情報管理装置が、病院内の場所と、複数のビーコンと、患者情報とを対応付けて管理し、
情報表示装置が、前記複数のビーコンのうち一つのビーコンを特定し、
前記情報管理装置が、前記情報表示装置により特定されたビーコンに対応する患者情報を前記情報表示装置に提供し、
前記情報表示装置が、特定したビーコンに関連付けられた場所に対応付けられた前記患者情報を、前記情報管理装置から取得して表示する、
患者情報提供方法。
【発明の詳細な説明】
【技術分野】
【０００１】
本発明は、患者情報提供システム、および患者情報提供方法に関する。
【背景技術】
【０００２】
従来より、患者の電子カルテ情報や患者の個人情報を管理し、管理している電子カルテ情報や患者の個人情報を提供する通信システムが知られている。この種の通信システムとしては、例えば、下記の特許文献１に記載された近距離無線通信システムが知られている。
【０００３】
この近距離無線通信システムは、電子医療情報管理センターのコンピュータ装置と、ビーコン発信器と、医療機関側通信端末と、患者通信端末と、を備える。この無線通信システムは、近距離に限定された交信可能エリア内で、患者通信端末が無線送信する個人電子医療情報を医療機関側通信端末により取得し、無線通信網を介してコンピュータ装置に送信するとともに、医療機関側通信端末によりコンピュータ装置から無線通信網を介して取得した患者通信端末に対応する電子カルテ情報を無線通信により当該患者通信端末に送信する。
【０００４】
これにより、この無線通信システムは、病院内等において医師と患者の間の電子カルテ情報、個人医療情報の交信を、高度のセキュリティ性を確保しつつ近距離双方向通信の形態で実現する、としている。
【先行技術文献】
【特許文献】
【０００５】
【特許文献１】特開２０１６−０７６７６７号公報
【発明の概要】
【発明が解決しようとする課題】
【０００６】
しかしながら、上述した無線通信システムは、セキュリティ性を高くすることができるものの、病院内における多種多様な場所において必要な情報を提供することができず、利便性に欠ける場合があった。
【０００７】
本発明は、上記の課題に鑑みてなされたものであって、高いセキュリティ性を確保することができるとともに、利便性を高くすることができる患者情報提供システム、および患者情報提供方法を提供することを目的としている。
【課題を解決するための手段】
【０００８】
（１）本発明の一態様は、病院内の場所に関連付けられた複数のビーコンと、前記病院内の場所と患者情報とを対応付けて管理する情報管理装置と、前記複数のビーコンのうち一つのビーコンを特定し、当該特定したビーコンに関連付けられた場所に対応付けられた前記患者情報を、前記情報管理装置から取得して表示する情報表示装置と、を備える、患者情報提供システムである。
【０００９】
（２）本発明の一態様は、上記の患者情報提供システムであって、前記複数のビーコンのそれぞれは、病院内のベッド、ナースステーション、診察室、および、治療室のうちいずれか一つの場所に関連付けられる。
【００１０】
（３）本発明の一態様は、上記の患者情報提供システムであって、前記情報管理装置は、前記病院内の場所および前記ビーコンを特定する情報に対応付けて前記患者情報を管理し、前記情報表示装置は、当該情報表示装置を持つ者が前記ビーコンに関連付けられた場所を訪れた場合に、当該ビーコンを特定する情報を含む要求を前記情報管理装置に送信し、前記情報管理装置は、前記要求を受信した場合に、当該要求に含まれるビーコンを特定する情報に基づいて、当該場所に対応付けられた患者情報を、前記情報表示装置に送信し、前記情報表示装置は、前記患者情報を受信した場合に、当該患者情報に基づいて表示を行う。
【００１１】
（４）本発明の一態様は、上記の患者情報提供システムであって、前記情報表示装置は、当該情報表示装置を持つ者が前記ビーコンに関連付けられた場所から退出した場合に、当該患者情報の表示を停止する。
【００１２】
（５）本発明の一態様は、上記の患者情報提供システムであって、前記情報表示装置は、当該情報表示装置を持つ者が前記ビーコンに関連付けられた場所から退出した場合において、当該情報表示装置を持つ者のタスクに対する結果の入力を受け付けていない場合、当該情報表示装置を持つ者のタスクに対する結果を入力することを促す画像を表示し、タスクに対する結果を入力する操作を受け付ける。
【００１３】
（６）本発明の一態様は、上記の患者情報提供システムであって、前記情報管理装置は、前記病院内の場所に対応付けて当該場所において患者情報が表示可能な情報表示装置の数に関する情報を管理し、前記情報表示装置の数に関する情報に基づいて、前記病院内の場所ごとに、患者情報の送信先としての前記情報表示装置の数を制限する。
【００１４】
（７）本発明の一態様は、上記の患者情報提供システムであって、前記情報管理装置は、前記病院内の場所に対応付けて当該場所においてタスクを実行する者の権限情報を管理し、前記権限情報に基づいて、前記病院内の場所ごとに、患者情報の送信先としての前記情報表示装置を制限する。
【００１５】
（８）本発明の一態様は、上記の患者情報提供システムであって、前記情報管理装置は、前記病院内の場所に対応付けて患者のスケジュール情報を管理し、前記スケジュール情報に基づいて、第１の場所に患者がいる場合に、当該患者の患者情報を前記第１の場所にいる者が持つ前記情報表示装置に送信し、前記第１の場所とは異なる第２の場所にいる者が持つ前記情報表示装置には、前記第１の場所にいる患者の患者情報を送信しない。
【００１６】
（９）本発明の一態様は、上記の患者情報提供システムであって、前記情報管理装置は、前記病院内の場所に対応付けて当該場所において実行するタスクを示す情報を前記患者情報として管理し、前記タスクを示す情報に基づいて、第１の場所で実行するタスクを示す情報を前記第１の場所にいる者が持つ前記情報表示装置に送信し、前記第１の場所とは異なる第２の場所で実行するタスクを示す情報を前記第１の場所にいる者が持つ前記情報表示装置に送信しない。
【００１７】
（１０）本発明の一態様は、上記の患者情報提供システムであって、前記情報管理装置は、前記情報表示装置が通信中の前記ビーコンの場所に基づいて、当該情報表示装置を持つ者のタスクを推定し、推定結果に基づいて当該情報表示装置を持つ者に対する連絡の可否情報を、当該情報表示装置を持つ者以外の者に提供する。
【００１８】
（１１）本発明の一態様は、情報管理装置が、病院内の場所と、複数のビーコンと、患者情報とを対応付けて管理し、情報表示装置が、前記複数のビーコンのうち一つのビーコンを特定し、前記情報管理装置が、前記情報表示装置により特定されたビーコンに対応する患者情報を前記情報表示装置に提供し、前記情報表示装置が、特定したビーコンに関連付けられた場所に対応付けられた前記患者情報を、前記情報管理装置から取得して表示する患者情報提供方法である。
【発明の効果】
【００１９】
本発明の一態様によれば、高いセキュリティ性を確保することができるとともに、利便性を高くすることができる患者情報提供システム、および患者情報提供方法を提供することができる。
【図面の簡単な説明】
【００２０】
【図１】本発明を適用した実施形態の患者情報提供システムの一例を示す図である。
【図２】病院内におけるビーコンの配置の一例を示す図である。
【図３】患者情報提供システムにおけるビーコン情報データベース１０の一例を示す図である。
【図４】患者情報提供システムにおける患者データベースの一例を示す図である。
【図５】患者情報提供システムにおける使用者データベースの一例を示す図である。
【図６】患者情報提供システムにおける機能的な構成例を示すブロック図である。
【図７】病室におけるベッド付近におけるビーコンの通信範囲とタブレット端末の位置との関係を示す図である。
【図８】タブレット端末において表示される患者情報の変化を示す図である。
【図９】タブレット端末における処理手順の一例を示すフローチャートである。
【図１０】患者情報管理装置における処理手順の一例を示すフローチャートである。
【発明を実施するための形態】
【００２１】
以下、本発明を適用した患者情報提供システム、および患者情報提供方法を、図面を参照して説明する。
【００２２】
図１は、本発明を適用した実施形態の患者情報提供システムの一例を示す図である。患者情報提供システムは、例えば、複数のビーコン１００と、患者情報管理装置２００と、一または複数のタブレット端末３００とを備える。患者情報管理装置２００は、病院内に設けられた院内ネットワーク４００に通信可能に接続される。ビーコン１００とタブレット端末３００とは、例えば、ｂｌｕｅｔｏｏｔｈ（登録商標）に準拠して通信を行う。院内ネットワーク４００は、例えば、複数のアクセスポイント４１０を備える。患者情報管理装置２００とタブレット端末３００とは、例えば、Ｗｉｆｉ（登録商標）に準拠して、アクセスポイント４１０を介して通信を行う。
【００２３】
図２は、病院内におけるビーコンの配置の一例を示す図である。病院内には、複数のビーコン１００ａ〜１００ｈが設置される。なお、あるビーコンを他のビーコンと区別しない場合には単に「ビーコン１００」と記載する。ビーコン１００ａは、ナースステーションに設置される。ビーコン１００ｂは、診察台Ｂａ付近に設置される。ビーコン１００ｃは治療室内のベッドＢｂ付近に設置される。ビーコン１００ｄは病室内のベッドＢｃ付近に設置され、ビーコン１００ｅは病室内のベッドＢｄ付近に設置される。ビーコン１００ｆは病室内のベッドＢｅ付近に設置され、ビーコン１００ｇは病室内のベッドＢｆ付近に設置される。
【００２４】
患者情報提供システムにおいて、病院内の各種の施設と、ビーコン１００との対応関係は、例えば病院のシステム管理者により決定される。図３は、患者情報提供システムにおけるビーコン情報データベース１０の一例を示す図である。ビーコン情報データベース１０は、場所ＩＤ情報１１と、ビーコンＩＤ情報１２と、表示権限情報１３と、表示数情報１４と、患者ＩＤ情報１５と、タスクＩＤ情報１６と、入力結果情報１７とを対応付けたデータベースである。ビーコンＩＤ情報１２、表示権限情報１３、表示数情報１４、患者ＩＤ情報１５、タスクＩＤ情報１６、および入力結果情報１７は、それぞれ場所に関連付けられる。ビーコンＩＤ情報１２、表示権限情報１３、表示数情報１４、患者ＩＤ情報１５、タスクＩＤ情報１６、および入力結果情報１７は、患者情報管理装置２００により随時更新される。
【００２５】
場所ＩＤ情報１１は、例えば、あるベッドを一意に特定する識別子（ベッドａ）である。ビーコンＩＤ情報１２は、ビーコン１００を一意に特定する識別子（Ｂ１）である。場所ＩＤ情報１１は、当該場所に最も近いビーコンＩＤ情報１２に対応付けられる。表示権限情報１３は、患者情報を閲覧するためのタブレット端末３００の使用者の権限を表す情報である。表示権限情報１３は、例えば、患者の担当看護師、患者の担当医、研修中の看護師、研修医などを示す情報である。表示数情報１４は、患者情報を閲覧させるタブレット端末３００の使用者数を示す情報である。表示数情報１４は、例えばベッドの側においては「１」を示す情報であり、例えばナースステーションにおいては「任意の登録者数」を示す情報である。患者ＩＤ情報１５は、患者を一意に特定するための識別子である。タスクＩＤ情報１６は、タスクを一意に特定する情報である。タスクは、患者に対する検温や採血などの検査や、治療や、薬の投与などの看護師や医師などの病院関係者の作業である。入力結果情報１７は、タスクに対する入力結果を示す情報である。タスクに対する入力結果は、例えば、タスクを完了したか否かを示す情報（完了：○、未完了：×）や、タスクの完了時刻を示す情報や、完了したタスクの内容を示す情報である。
【００２６】
図４は、患者情報提供システムにおける患者データベースの一例を示す図である。患者データベース２０は、例えば、患者ＩＤ情報１５に、患者情報２１、ベッドＩＤ情報２２、スケジュール情報２３が対応付けられたデータベースである。患者情報２１、ベッドＩＤ情報２２、スケジュール情報２３は、患者情報管理装置２００により随時更新される。
【００２７】
患者情報２１は、患者に関する各種の情報を含む。患者に関する各種の情報は、例えば、患者固有の情報、患者の状態を示す情報、患者に関するタスクを示す情報である。患者固有の情報は、例えば、氏名、入院日、手術日、担当医、薬物、食事のアレルギーの有無、担当看護師などの情報である。患者の状態を示す情報は、例えば、患者の移動方法、排泄方法、食事の制限、飲み物の制限などの情報である。患者に関するタスクを示す情報は、例えば、タスクの種類を特定する情報や、タスクを完了する予定時刻などの情報である。ベッドＩＤ情報２２は、患者に割り当てられたベッドを一意に特定する情報である。スケジュール情報２３は、時刻と患者の場所とを対応付けた情報である。スケジュール情報２３は、例えば、患者ＩＤ情報１５により特定される患者が、時刻ｔ１〜ｔ２において検査のために診察室にいることを示し、時刻ｔ２〜ｔ３において食事等のためにベッドにいることを示し、時刻ｔ３〜ｔ４において治療のために治療室にいることを示す情報である。
【００２８】
図５は、患者情報提供システムにおける使用者データベースの一例を示す図である。使用者データベース３０は、例えば、ビーコンＩＤ情報１２と、使用者ＩＤ情報３１とを対応付けたデータベースである。使用者ＩＤ情報３１は、タブレット端末３００の使用者を一意に特定する情報である。ビーコンＩＤ情報１２と使用者ＩＤ情報３１との関係は、使用者がいる場所に応じて患者情報管理装置２００により更新される。
【００２９】
図６は、患者情報提供システムにおける機能的な構成例を示すブロック図である。
ビーコン１００は、例えば、発信部１１０を備える。発信部１１０は、信号を発信する。ビーコン１００は、信号を発信するデバイスの一例である。発信部１１０は、例えば、低消費電力の近距離無線技術（Bluetooth Low Energy（BLE））を利用した回路である。発信部１１０は、ビーコン１００の位置から所定の範囲内に所定の強度の信号を発信する。所定の範囲内は、例えば、病院におけるベッド付近でタブレット端末３００を操作することができる範囲である。所定の強度とは、例えば、使用者が病院におけるベッドに近づいてタスクを行う場合にタブレット端末３００が検出する信号の強度である。
【００３０】
タブレット端末３００は、ＣＰＵ（Central  Processing  Unit）などのプロセッサが記憶部（不図示）に記憶されているプログラムを実行することによって機能するソフトウェア機能部である。また、タブレット端末３００は、ＬＳＩ（Large  Scale  Integration）やＡＳＩＣ（Application  Specific  Integrated  Circuit）等のハードウェア機能部であってよい。タブレット端末３００は、例えば、信号検出部３０２と、信号強度判定部３０４と、ビーコンＩＤ送信部３０６と、情報受信部３０８と、情報インターフェース部３１０とを備える。信号検出部３０２は、ビーコン１００と同じ通信プロトコルで動作することでビーコン１００から発信された信号を検出する。信号検出部３０２は、検出した信号を信号強度判定部３０４に出力する。
【００３１】
信号強度判定部３０４は、信号検出部３０２から供給された信号の強度が所定の強度を超えているか否かを判定する。信号強度判定部３０４は、信号の強度が所定の強度を超えている場合、当該信号を解析してビーコンＩＤを取得する。信号強度判定部３０４は、取得したビーコンＩＤをビーコンＩＤ送信部３０６に出力する。信号強度判定部３０４は、信号の強度が所定の強度を超えていない場合、たとえビーコンＩＤが取得できてもビーコンＩＤ送信部３０６には出力しない。
【００３２】
ビーコンＩＤ送信部３０６および情報受信部３０８は、例えば、アクセスポイント４１０に無線信号を送信する無線通信回路である。ビーコンＩＤ送信部３０６は、信号強度判定部３０４から供給されたビーコンＩＤを、患者情報管理装置２００に送信する。情報受信部３０８は、アクセスポイント４１０から送信された無線信号を受信する。情報受信部３０８は、受信した無線信号に所定の通信処理を施して表示情報を情報インターフェース部３１０に供給する。
【００３３】
情報インターフェース部３１０は、各種の情報の表示を行うモニタ、音声入出力を行うスピーカやマイク、および使用者の操作を受け付ける操作デバイスなどである。情報インターフェース部３１０は、情報受信部３０８から表示情報に基づいて患者情報等を表示する。情報インターフェース部３１０は、使用者の操作を受け付けることでタスクの完了結果に関する情報を生成する。情報インターフェース部３１０は、例えばビーコンＩＤ送信部３０６の機能を利用することで、タスクの完了結果に関する情報を患者情報管理装置２００に送信する。
【００３４】
患者情報管理装置２００は、ＣＰＵなどのプロセッサが記憶部（不図示）に記憶されているプログラムを実行することによって機能するソフトウェア機能部である。また、患者情報管理装置２００は、ＬＳＩやＡＳＩＣ等のハードウェア機能部であってよい。患者情報管理装置２００は、例えば、情報登録部２０２と、情報加工部２０４と、情報送信部２０６と、入力情報受信部２０８とを備える。患者情報管理装置２００は、情報記憶部２１０にアクセス可能に構成される。
【００３５】
情報登録部２０２、情報送信部２０６および入力情報受信部２０８は、例えば、アクセスポイント４１０を介して無線信号を通信する無線通信回路である。情報登録部２０２は、ビーコンＩＤ送信部３０６から送信されたビーコンＩＤを受信したことに応じて情報記憶部２１０に情報を登録する。情報加工部２０４は、情報記憶部２１０に登録された情報の加工や更新を行う。情報送信部２０６は、情報記憶部２１０に登録された患者情報等を情報受信部３０８に送信する。入力情報受信部２０８は、情報インターフェース部３１０から送信された入力情報を受信したことに応じて情報記憶部２１０に情報を登録する。
【００３６】
情報記憶部２１０は、例えば、ＨＤＤ（Hard  Disc  Drive）、フラッシュメモリ、ＥＥＰＲＯＭ（Electrically  Erasable  Programmable  Read  Only  Memory），ＲＯＭ（Read  Only  Memory），またはＲＡＭ（Random  Access  Memory）等により実現される。情報記憶部２１０は、患者情報管理装置２００と通信可能であれば、院内ネットワーク４００等の有線回線や無線回線を介して患者情報管理装置２００と接続されていてもよく、外部のネットワークを介して患者情報管理装置２００と接続されていてもよい。情報記憶部２１０は、例えば、ビーコン情報データベース１０と、患者データベース２０と、使用者データベース３０とを記憶する。情報記憶部２１０は、患者情報管理装置２００から供給された情報や命令に従って、ビーコン情報データベース１０、患者データベース２０および使用者データベース３０を更新する。
【００３７】
図７は、病室におけるベッド付近におけるビーコンの通信範囲とタブレット端末の位置との関係を示す図である。図８は、タブレット端末において表示される患者情報の変化を示す図である。図７に示すように、病室におけるベッドＢｃ付近の壁にビーコン１００ｄが埋め込まれ、病室におけるベッドＢｄ付近の壁にビーコン１００ｅが埋め込まれているものとする。ビーコン１００ｄから発信された信号が所定の強度を超える強度でタブレット端末３００に検出される範囲１２０ｄと、ビーコン１００ｅから発信された信号が所定の強度を超える強度でタブレット端末３００に検出される範囲１２０ｅとは重複しないものとする。範囲１２０ｄと範囲１２０ｅとが重複しないように、ビーコン１００ｄおよび１００ｅの位置が決定され、且つ、ビーコン１００ｄおよび１００ｅから発信する信号強度が設定される。
【００３８】
時刻ｔ１においてタブレット端末３００が範囲１２０ｄの中に存在する場合、タブレット端末３００は、ビーコン１００ｄのビーコンＩＤ情報１２に対応付けられた患者ＩＤ情報１５の患者情報２１を受信する。これにより、タブレット端末３００は、ベッドＢｃに対応付けられた患者の患者情報２１を表示することができる。
【００３９】
時刻ｔ２においてタブレット端末３００が範囲１２０ｄから退出した場合、タブレット端末３００は、ビーコン１００ｄから受信する信号の強度が所定の強度未満になったことを検出し、ベッドＢｃに対応付けられた患者の患者情報２１の表示を停止する。
【００４０】
時刻ｔ３においてタブレット端末３００が範囲１２０ｅの中に存在する場合、タブレット端末３００は、ビーコン１００ｅのビーコンＩＤ情報１２に対応付けられた患者ＩＤ情報１５の患者情報２１を受信する。これにより、タブレット端末３００は、ベッドＢｄに対応付けられた患者の患者情報２１を表示することができる。
【００４１】
図９は、タブレット端末における処理手順の一例を示すフローチャートである。
タブレット端末３００は、ビーコン１００から発信された信号を検出し（ステップＳ１００）、当該信号の強度が所定の強度（閾値）を超えているか否かを判定する（ステップＳ１０２）。タブレット端末３００は、信号の強度が閾値を超えていない場合（ステップＳ１０２：ＮＯ）、ステップＳ１０４には処理を進めない。タブレット端末３００は、信号の強度が閾値を超えている場合（ステップＳ１０２：ＹＥＳ）、当該信号からビーコンＩＤを取得し、取得したビーコンＩＤを患者情報管理装置２００に送信する（ステップＳ１０４）。
【００４２】
なお、タブレット端末３００は、閾値を超えた強度の複数の信号を受信した場合、強度が強い方の信号からビーコンＩＤを取得して、取得したビーコンＩＤを患者情報管理装置２００に送信する。
【００４３】
タブレット端末３００は、患者情報管理装置２００から患者情報を受信し、患者情報を表示する（ステップＳ１０６）。タブレット端末３００は、ステップＳ１０２において信号の強度が閾値を超えたと判定された信号発信元としてのビーコン１００から発信される信号の強度が閾値以下に変化したか否かを判定する（ステップＳ１０８）。タブレット端末３００は、信号の強度が閾値以下に変化していない場合（ステップＳ１０８：ＮＯ）、患者情報の受信および表示を継続する（ステップＳ１０６）。これにより、タブレット端末３００は、使用者がタスクを継続している期間には患者情報の表示を継続することができる。
【００４４】
タブレット端末３００は、信号の強度が閾値以下に変化した場合（ステップＳ１０８：ＹＥＳ）、患者情報の表示を停止する（ステップＳ１１０）。次にタブレット端末３００は、入力結果情報１７が未入力のタスクがあるか否かを判定する（ステップＳ１１２）。タブレット端末３００は、未入力タスクがない場合（ステップＳ１１２：ＮＯ）、本フローチャートの処理を終了する。タブレット端末３００は、未入力タスクがある場合（ステップＳ１１２：ＹＥＳ）、入力結果情報１７の入力を要求する情報を表示させる（ステップＳ１１４）。
【００４５】
図１０は、患者情報管理装置における処理手順の一例を示すフローチャートである。
患者情報管理装置２００は、タブレット端末３００からビーコンＩＤを受信し（ステップＳ２００）、受信したビーコンＩＤに対応する情報を特定する（ステップＳ２０２）。ビーコンＩＤに対応する情報は、ビーコン情報データベース１０においてビーコンＩＤに対応付けられた情報である。
【００４６】
患者情報管理装置２００は、ビーコンＩＤに対応する情報に基づいて、患者情報を表示可能な場所であるか否かを判定する（ステップＳ２０４）。患者情報管理装置２００は、例えば、受信したビーコンＩＤに対応する情報がビーコン情報データベース１０に登録されていない場合、タブレット端末３００が患者情報を表示可能な場所にあるとは判定しない（ステップＳ２０４：ＮＯ）。患者情報管理装置２００は、例えば、待合室のビーコン１００のビーコンＩＤを受信した場合、当該待合室にあるタブレット端末３００に対する患者情報の表示を禁止することができる。
【００４７】
患者情報管理装置２００は、ビーコンＩＤに対応する場所がビーコン情報データベース１０に登録されている場合、タブレット端末３００が患者情報を表示可能な場所にあるとは判定する（ステップＳ２０４：ＹＥＳ）。患者情報管理装置２００は、タブレット端末３００の使用者が患者情報を閲覧する権限を持つか否かを判定する（ステップＳ２０６）。患者情報管理装置２００は、例えば、ビーコンＩＤと共に、タブレット端末３００の使用者ＩＤを取得する。患者情報管理装置２００は、取得した使用者ＩＤが表示権限情報１３として登録されている場合、タブレット端末３００の使用者が患者情報を閲覧する権限を持つと判定する（ステップＳ２０６：ＹＥＳ）。患者情報管理装置２００は、使用者ＩＤが表示権限情報１３として登録されていない場合、患者情報を閲覧する権限がないと判定する（ステップＳ２０６：ＮＯ）。
【００４８】
また、患者情報管理装置２００は、ステップＳ２０６において、患者情報を閲覧するタブレット端末３００の数を判定してよい。患者情報管理装置２００は、患者情報を閲覧する権限がある使用者が複数存在する場合、ビーコンＩＤ情報１２に対応した表示数情報１４を参照し、表示数情報１４により患者情報の送信先としてのタブレット端末３００の数を制限する。患者情報管理装置２００は、例えば、ビーコンＩＤ情報１２に対応する場所ＩＤ情報１１がベッドを示す場合、患者情報の送信先としてのタブレット端末３００の数を「１」に限定することができる。患者情報管理装置２００は、例えば、ビーコンＩＤ情報１２に対応する場所ＩＤ情報１１がナースステーションを示す場合、患者情報の送信先としてのタブレット端末３００の数を、ナースステーションにおいて会議（ブリーフィング）に参加する者の数に限定することができる。
【００４９】
さらに、患者情報管理装置２００は、ステップＳ２０６において、スケジュール情報２３に基づいてタブレット端末３００に患者情報の閲覧権限があるか否かを判定してよい。患者情報管理装置２００は、患者が治療室にいる場合には、治療室内のタブレット端末３００だけに患者情報２１を表示させ、患者のベッドサイドにあるタブレット端末３００には患者情報２１を表示させない。さらに、患者情報管理装置２００は、ステップＳ２０６において、患者に対するタスクに基づいて、患者情報２１の閲覧を制限してよい。患者情報管理装置２００は、例えば、治療室で薬Ａを与え（タスクＡ）、ベッドで薬Ｂを与える（タスクＢ）場合、治療室内のタブレット端末３００にはタスクＡを表示させるが、ベッドにあるタブレット端末３００にはタスクＡは表示させない。
【００５０】
次に患者情報管理装置２００は、ビーコンＩＤ情報１２に対応する患者ＩＤ情報１５に紐付けられた患者情報２１を患者データベース２０から抽出する（ステップＳ２０８）。患者情報管理装置２００は、抽出した患者情報２１を、ステップＳ２０６において患者情報の閲覧権限があるタブレット端末３００に送信する（ステップＳ２１０）。これにより、タブレット端末３００は、患者情報２１やタスクＩＤ情報１６に対応するタスクなどを表示することができる。
【００５１】
次に患者情報管理装置２００は、タブレット端末３００からタスクに対する入力情報を受信したか否かを判定する（ステップＳ２１２）。患者情報管理装置２００は、タブレット端末３００から入力情報を受信しない場合（ステップＳ２１２：ＮＯ）、本フローチャートの処理を終了する。患者情報管理装置２００は、タブレット端末３００から入力情報を受信した場合（ステップＳ２１２：ＹＥＳ）、患者情報２１や入力結果情報１７を更新する（ステップＳ２１４）。
【００５２】
以上のように、実施形態の患者情報提供システムは、病院内の場所に関連付けられた複数のビーコン１００と、病院内の場所と患者情報２１とを対応付けて管理する患者情報管理装置２００と、複数のビーコン１００のうち一つのビーコン１００を特定し、当該特定したビーコン１００に関連付けられた場所に対応付けられた患者情報２１を、患者情報管理装置２００から取得して表示するタブレット端末３００とを備える。患者情報提供システムによれば、患者がいる場所では患者情報２１をタブレット端末３００に表示させることができるので、高いセキュリティ性を確保することができるとともに、利便性を高くすることができる。すなわち、患者情報提供システムによれば、患者の近くに看護者がいない場合には患者情報２１の表示を制限する一方で、患者の近くに看護者がいる場合には患者情報２１の表示を許可することができる。
【００５３】
また、患者情報提供システムによれば、複数のビーコン１００のそれぞれは、病院内のベッド、ナースステーション、診察室、および、治療室のうちいずれか一つの場所に関連付けられるので、病院内の各所に患者が移動する場合であっても、当該患者の場所に患者情報２１を対応付けることで、利便性をさらに高くすることができる。
【００５４】
さらに、患者情報提供システムによれば、患者情報管理装置２００によって、病院内の場所およびビーコンＩＤ情報１２に対応付けて患者情報２１を管理し、タブレット端末３００によって、当該タブレット端末３００を持つ者がビーコン１００に関連付けられた場所を訪れた場合に、当該ビーコンＩＤ情報１２を含む要求を患者情報管理装置２００に送信し、患者情報管理装置２００によって、要求を受信した場合に、当該要求に含まれるビーコンＩＤ情報１２に基づいて、当該場所に対応付けられた患者情報２１を、タブレット端末３００に送信し、タブレット端末３００によって、患者情報２１を受信した場合に、当該患者情報２１に基づいて表示を行うことができる。
【００５５】
さらに、患者情報提供システムによれば、タブレット端末３００によって、当該タブレット端末３００を持つ者がビーコンに関連付けられた場所から退出した場合に、当該患者情報２１の表示を停止することができる。この結果、患者情報提供システムによれば、高いセキュリティ性を確保することができ、さらには、患者情報２１が他の患者に見られるという心配を抑制することができる。
【００５６】
さらに、患者情報提供システムによれば、タブレット端末３００によって、当該タブレット端末３００を持つ者がビーコン１００に関連付けられた場所から退出した場合において、当該タブレット端末３００を持つ者のタスクに対する結果の入力を受け付けていない場合、当該タブレット端末３００を持つ者のタスクに対する結果を入力することを促す画像を表示し、タスクに対する結果を入力する操作を受け付けることができる。この結果、患者情報提供システムによれば、患者がいる場所から看護者が退出した場合であって患者情報２１の表示を停止しても、タスクに対する結果を入力する操作を受け付けることができる。これにより、患者情報提供システムによれば、例えば医療事故対策として発生源入力を実現できる、さらに、看護者がナースステーションでタスクに対する結果を入力する手間を省くことができる。
【００５７】
さらに、患者情報提供システムによれば、患者情報管理装置２００によって、病院内の場所に対応付けて当該場所において患者情報２１が表示可能なタブレット端末３００の数に関する情報を管理し、タブレット端末３００の数に関する情報に基づいて、病院内の場所ごとに、患者情報２１の送信先としてのタブレット端末３００の数を制限することができる。これにより、患者情報提供システムによれば、高いセキュリティが確保できない場面では患者情報２１が表示できるタブレット端末３００を一つに制限することができるとともに、高いセキュリティが確保された場所では患者情報２１が表示できるタブレット端末３００を関係者の数に制限することにより利便性を高くすることができる。
【００５８】
具体的に、患者情報提供システムによれば、例えば、病院内のベッドに対応付けられた患者情報２１が表示可能なタブレット端末３００の数を、患者の担当者が持つタブレット端末３００の数に限定し、病院内のナースステーション対応付けられた患者情報２１が表示可能なタブレット端末３００の数を、当該ナースステーションに入室が許可された者が持つタブレット端末３００の数に限定し、病院内の診察室または治療室に対応付けられた患者情報が表示可能なタブレット端末３００の数を、当該病院内の診察室または治療室に入室が許可された者が持つタブレット端末３００情報表示装置の数に限定することができる。
【００５９】
さらに、患者情報提供システムによれば、患者情報管理装置２００によって、病院内の場所に対応付けて当該場所においてタスクを実行する者の権限情報を管理し、権限情報に基づいて、病院内の場所ごとに、患者情報の送信先としての情報表示装置を制限することができる。これにより、患者情報提供システムによれば、例えば、担当医、担当看護者が持つタブレット端末３００だけに患者情報２１を表示させることや、研修中の看護者、担当外の医者および看護者が持つタブレット端末３００には、患者情報、タスク（薬の切り替えなど）、タスクの入力のための画面は表示させないことができる。
【００６０】
さらに、患者情報提供システムによれば、患者情報管理装置２００により、病院内の場所に対応付けて患者のスケジュール情報２３を管理し、スケジュール情報２３に基づいて、第１の場所に患者がいる場合に、当該患者の患者情報２１を第１の場所にいる者が持つタブレット端末３００に送信し、第１の場所とは異なる第２の場所にいる者が持つタブレット端末３００には、第１の場所にいる患者の患者情報２１を送信しない、という制御を実現することができる。これにより、患者情報提供システムによれば、患者情報２１の表示が必要な場所では患者情報２１を表示させて利便性を高くすることができ、患者がいない状況において当該患者の患者情報２１が閲覧されたりすることを抑制してセキュリティ性を高くすることができる。
【００６１】
さらに、患者情報提供システムによれば、患者情報管理装置２００によって、病院内の場所に対応付けて当該場所において実行するタスクを示す情報を患者情報２１として管理し、タスクを示す情報に基づいて、第１の場所で実行するタスクを示す情報を第１の場所にいる者が持つタブレット端末３００に送信し、第１の場所とは異なる第２の場所で実行するタスクを示す情報を第１の場所にいる者が持つタブレット端末３００に送信しない、という制御を実現することができる。これにより、患者情報提供システムによれば、場所ごとに実行することが必要なタスクを表示することができ、さらに利便性を高くすることができる。
【００６２】
さらに、患者情報提供システムによれば、患者情報管理装置２００によって、タブレット端末３００が通信中のビーコン１００の場所に基づいて、当該タブレット端末３００を持つ者のタスクを推定し、推定結果に基づいて当該タブレット端末３００を持つ者に対する連絡の可否情報を、当該タブレット端末３００を持つ者以外の者に提供することができる。すなわち、患者情報提供システムによれば、例えば図６に示したように、ビーコンＩＤ情報１２に対応付けて使用者ＩＤ情報３１を登録することで、患者情報管理装置２００によって使用者のタスクを推定することができ、当該使用者以外にタスクを示す情報を提供することができる。これにより、患者情報提供システムによれば、病院内の連絡をしようとする者に連絡をしてよいかを判断する材料を提供することができる。
【００６３】
以下、上述した患者情報提供システムにおける他の実施形態について説明する。
（他の実施形態１）
患者情報提供システムは、タブレット端末３００を持つ者がビーコン１００の通信範囲に進入した場合に、タブレット端末３００から患者情報管理装置２００に定期的に患者情報を送信することで、定期的に患者情報を情報記憶部２１０に蓄積してよい。なお、タブレット端末３００がビーコン１００の通信範囲に進入したことは、ビーコン１００との通信結果のみならず、アクセスポイント４１０との通信結果やタブレット端末３００に内蔵されたＧＰＳ処理装置の処理結果に基づいて判断してよい。
【００６４】
（他の実施形態２）
患者情報提供システムは、患者情報をピクトグラムやアメニティなどの視覚情報によりユーザに参照可能にしてよい。これにより、患者情報提供システムは、ユーザにとって直感的に患者情報を伝達することができる。
【００６５】
（他の実施形態３）
患者情報提供システムは、病室においてタブレット端末３００がビーコン１００の通信範囲内で放置された状態で所定時間を経過した場合などの所定の条件を満たした場合、タブレット端末３００の使用者に自動的に通知してよい。患者情報提供システムは、例えば、タブレット端末３００を使用する者の携帯電話を用いて、タブレット端末３００が放置されていることや、タブレット端末３００の放置場所などを通知する。これにより、患者情報提供システムは、タブレット端末３００が使用者以外の者に操作されて、患者情報が閲覧されることを抑制することができる。
【００６６】
（他の実施形態４）
患者情報提供システムは、ビーコン１００の位置情報を用いて、タブレット端末３００を持つ者が特定の場所に滞在した時間等を患者情報管理装置２００に送信してよい。患者情報提供システムは、滞在時間を用いて、利用者の業務状況の分析、動線管理、場所（例えば会議室等）の利用状況の実態の分析に利用することができる。
【００６７】
なお、各実施形態、各変形例について説明したが、一例であってこれらに限られず、例えば、各実施形態や各変形例のうちのいずれかや、各実施形態の一部や各変形例の一部を、他の１または複数の実施形態や他の１または複数の変形例と組み合わせて本発明の一態様を実現させてもよい。
【００６８】
なお、本実施形態における患者情報管理装置２００およびタブレット端末３００の各処理を実行するためのプログラムをコンピュータ読み取り可能な記録媒体に記録して、当該記録媒体に記録されたプログラムを、コンピュータシステムに読み込ませ、実行することにより、画像判定装置１に係る上述した種々の処理を行ってもよい。
【００６９】
なお、ここでいう「コンピュータシステム」とは、ＯＳや周辺機器などのハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリなどの書き込み可能な不揮発性メモリ、ＣＤ−ＲＯＭなどの可搬媒体、コンピュータシステムに内蔵されるハードディスクなどの記憶装置のことをいう。
【００７０】
さらに「コンピュータ読み取り可能な記録媒体」とは、インターネットなどのネットワークや電話回線などの通信回線を介してプログラムが送信された場合のサーバやクライアントとなるコンピュータシステム内部の揮発性メモリ（例えばＤＲＡＭ（Ｄｙｎａｍｉｃ
Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置などに格納したコンピュータシステムから、伝送媒体を介して、あるいは、伝送媒体中の伝送波により他のコンピュータシステムに伝送されてもよい。
【００７１】
ここで、プログラムを伝送する「伝送媒体」は、インターネットなどのネットワーク（通信網）や電話回線などの通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【００７２】
以上、本発明の実施形態について図面を参照して詳述したが、具体的な構成はこの実施形態に限られるものではなく、この発明の要旨を逸脱しない範囲の設計なども含まれる。
【符号の説明】
【００７３】
１０  ビーコン情報データベース
２０  患者データベース
３０  使用者データベース
１００  ビーコン
１１０  発信部
２００  患者情報管理装置
２０２  情報登録部
２０４  情報加工部
２０６  情報送信部
２０８  入力情報受信部
２１０  情報記憶部
３００  タブレット端末
３０２  信号検出部
３０４  信号強度判定部
３０６  ビーコンＩＤ送信部
３０８  情報受信部
３１０  情報インターフェース部
４００  院内ネットワーク
４１０  アクセスポイント
【図１】
2020109568.tif 000003
【図２】
2020109568.tif 000004
【図３】
2020109568.tif 000005
【図４】
2020109568.tif 000006
【図５】
2020109568.tif 000007
【図６】
2020109568.tif 000008
【図７】
2020109568.tif 000009
【図８】
2020109568.tif 000010
【図９】
2020109568.tif 000011
【図１０】
2020109568.tif 000012